(57)【要約】【課題】原稿読取装置に対する原稿押さえのロック装置の設置スペースに制限がある場合であっても、原稿破損や異物混入を防止することができる画像形成装置を提供する。【解決手段】スキャナー部ｆには、原稿を載置する原稿載置面１１と同一平面に、原稿押さえｈの開閉をロックするための開口部１２が形成されており、第１のロック装置３０は、原稿押さえｈに設けられ、原稿押さえｈがスキャナー部ｆに対して閉じられた状態のときに開口部１２に挿入可能なロック部材３１と、スキャナー部ｆに設けられ、開口部１２に挿入されたロック部材３１と原稿載置面１１よりも下方で係合可能なフック部材３２と、スキャナー部ｆに設けられ、開口部１２を閉塞する閉塞位置と、原稿載置面１１よりも下方に移動し開口部１２を開放する開放位置との間で移動自在な蓋部材３３と、を有する複合機Ｐを採用する。【選択図】図１０
2014235214.tif 000002
【特許請求の範囲】
【請求項１】
装置本体に対して開閉可能に設けられた原稿読取装置と、前記原稿読取装置に対して開閉可能に設けられた原稿押さえと、前記原稿読取装置が開閉されるときに前記原稿押さえの開閉をロックするロック装置と、を有する画像形成装置であって、
前記原稿読取装置には、原稿を載置する原稿載置面と同一平面に、前記原稿押さえの開閉をロックするための開口部が形成されており、
前記ロック装置は、
前記原稿押さえに設けられ、前記原稿押さえが前記原稿読取装置に対して閉じられた状態のときに前記開口部に挿入可能なロック部材と、
前記原稿読取装置に設けられ、前記開口部に挿入された前記ロック部材と前記原稿載置面よりも下方で係合可能なフック部材と、
前記原稿読取装置に設けられ、前記開口部を閉塞する閉塞位置と、前記原稿載置面よりも下方に移動し前記開口部を開放する開放位置との間で移動自在な蓋部材と、を有する、ことを特徴とする画像形成装置。
【請求項２】
前記ロック装置は、前記原稿読取装置に設けられ、前記蓋部材を前記開放位置から前記閉塞位置に向かって付勢する付勢部材を有し、
前記蓋部材は、前記ロック部材の押圧によって前記付勢に抗して前記閉塞位置から前記開放位置に移動する、ことを特徴とする請求項１に記載の画像形成装置。
【請求項３】
前記ロック部材は、前記原稿押さえから突出する突出位置と、前記原稿押さえに没入する没入位置との間で移動自在に設けられている、ことを特徴とする請求項１または２に記載の画像形成装置。
【請求項４】
前記ロック装置は、前記原稿押さえに設けられ、前記ロック部材を前記没入位置から前記突出位置に向かって付勢する第２の付勢部材を有し、
前記ロック部材は、前記開口部に挿入される間に異物を挟んだときに前記付勢に抗して前記突出位置から前記没入位置に移動する、ことを特徴とする請求項３に記載の画像形成装置。
【請求項５】
前記フック部材は、前記ロック部材と係合する係合位置と、前記ロック部材との係合を解除する係合解除位置との間で移動自在に設けられており、
前記ロック装置は、
前記原稿読取装置に設けられ、前記フック部材を前記係合解除位置から前記係合位置に向かって付勢する第３の付勢部材と、
前記装置本体に設けられた突起部と、
前記原稿読取装置に設けられ、前記原稿読取装置が前記装置本体に対して閉じられた状態のときに前記突起部と当接し、前記フック部材を前記付勢に抗して前記係合位置から前記係合解除位置に移動させるリンク部材と、を有する、ことを特徴とする請求項１〜４のいずれか一項に記載の画像形成装置。
【請求項６】
前記原稿読取装置の開閉をロックする第２のロック装置を有する、ことを特徴とする請求項１〜５のいずれか一項に記載の画像形成装置。
【請求項７】
前記第２のロック装置は、
前記原稿読取装置に設けられ、前記装置本体と係合する第２の係合位置と、前記装置本体との係合を解除する第２の係合解除位置との間で移動自在な第２のフック部材と、
前記蓋部材が前記閉塞位置に位置するときに前記第２のフック部材の前記第２の係合解除位置への移動を規制し、前記蓋部材が前記開放位置に位置するときに前記第２のフック部材の前記第２の係合解除位置への移動の規制を解除する規制部材と、を有する、ことを特徴とする請求項６に記載の画像形成装置。
【発明の詳細な説明】
【技術分野】
【０００１】
本発明は、画像形成装置に関するものである。
【背景技術】
【０００２】
電子写真方式によって用紙に画像を形成する複写機や複合機（ＭＦＰ）等の画像形成装置においては、装置本体の上部に原稿読取装置を備えているものがある。原稿読取装置は、コンタクトガラスの裏側から原稿を照明し、ＣＣＤ（Charge Coupled Device）センサー等を用いて原稿を光学的に読み取るようになっている。下記特許文献１には、原稿読取装置を備える画像形成装置が開示されている。
【０００３】
特許文献１の画像形成装置は、装置本体の内部に設けられたドラムユニットやトナーカートリッジ等の交換のために、装置本体に対して原稿読取装置が開閉自在に設けられている。この原稿読取装置を持ち上げると、原稿読取装置によって閉塞されていた装置本体の開口部が開放され、ユーザーは、当該開口部を介して装置本体の内部にアクセスし、所定の部品の交換作業等を行うことができるようになっている（特許文献１の図２参照）。
【０００４】
ところで、原稿読取装置には、原稿を原稿載置面に押さえ付けるための原稿押さえが開閉可能に設けられている。原稿読取装置を開いたときに、原稿押さえが開かれると、原稿押さえが装置本体の後方側に大きく倒れ、画像形成装置全体の重心が移動し、装置本体が後方側に転倒し易くなる。特に、原稿押さえに原稿給送装置（ＡＤＦ）が付設されている場合には、原稿押さえの重量が大きくなるために、装置本体が後方側により転倒し易くなる。
【０００５】
このため、特許文献１の画像形成装置は、原稿押さえの原稿読取装置に対する開閉をロックする第２のロック機構（ロック装置）を備えている。この第２のロック機構は、原稿押さえ側に設けられた原稿押さえロック部材と、原稿読取装置側に回動可能に設けられて原稿押さえロック部材に係脱されるフックを備え、原稿読取装置の開閉動作に連動してフックを回動させてこれを原稿押さえロック部材に係脱させることによって、原稿読取装置が閉じられた状態では原稿押さえの開閉を許容し、原稿読取装置が開かれると原稿押さえの開閉をロックするよう構成されている。
【先行技術文献】
【特許文献】
【０００６】
【特許文献１】特開２０１１−２２７４９５号公報
【発明の概要】
【発明が解決しようとする課題】
【０００７】
しかしながら、上記第２のロック機構は、機構的に原稿読取装置の原稿載置面を貫通するような係合部品（特許文献１では原稿押さえロック部材）を必要とするため、原稿読取装置に開口部を形成しなければならない。しかし、原稿読取装置の原稿載置面と同一平面に開口部が形成されると、原稿破損や、装置内部への異物混入の懸念がある。
従来技術では、画像形成装置の後方側等、ユーザーが極力触り難い箇所にロック機構や開口部を設けている（特許文献１の図３参照）。しかしながら、昨今の画像形成装置の小型化に伴い省スペース化が必要となり、どうしても画像形成装置の前方側等にロック機構や開口部を設けなくてはならない場合がある。
【０００８】
本発明は、上記問題点に鑑みてなされたものであり、原稿読取装置に対する原稿押さえのロック装置の設置スペースに制限がある場合であっても、原稿破損や異物混入を防止することができる画像形成装置を提供することを目的とする。
【課題を解決するための手段】
【０００９】
上記の課題を解決するために、本発明は、装置本体に対して開閉可能に設けられた原稿読取装置と、前記原稿読取装置に対して開閉可能に設けられた原稿押さえと、前記原稿読取装置が開閉されるときに前記原稿押さえの開閉をロックするロック装置と、を有する画像形成装置であって、前記原稿読取装置には、原稿を載置する原稿載置面と同一平面に、前記原稿押さえの開閉をロックするための開口部が形成されており、前記ロック装置は、前記原稿押さえに設けられ、前記原稿押さえが前記原稿読取装置に対して閉じられた状態のときに前記開口部に挿入可能なロック部材と、前記原稿読取装置に設けられ、前記開口部に挿入された前記ロック部材と前記原稿載置面よりも下方で係合可能なフック部材と、前記原稿読取装置に設けられ、前記開口部を閉塞する閉塞位置と、前記原稿載置面よりも下方に移動し前記開口部を開放する開放位置との間で移動自在な蓋部材と、を有する、という構成を採用する。
この構成を採用することによって、本発明では、原稿読取装置に開口部を設け、開口部に原稿押さえに設けられたロック部材を挿入し、原稿載置面よりも下方においてロック部材にフック部材を係合させることによって、原稿押さえの開閉をロックする。原稿載置面と同一平面に設けられた開口部には、蓋部材が設けられており、ロック部材が挿入される前は閉塞可能となっている。このため、省スペース化等で限られたスペースにおいてでも、開口部に原稿の端部が落ち込むことによる破損を防止し、また、開口部を介して装置内部に異物が混入することを防止することができる。
【００１０】
また、本発明では、前記ロック装置は、前記原稿読取装置に設けられ、前記蓋部材を前記開放位置から前記閉塞位置に向かって付勢する付勢部材を有し、前記蓋部材は、前記ロック部材の押圧によって前記付勢に抗して前記閉塞位置から前記開放位置に移動する、という構成を採用する。
この構成を採用することによって、本発明では、原稿読取装置に付勢部材を設け、蓋部材を閉塞位置に向かって付勢することで、原稿押さえが閉じられるときにはロック部材が蓋部材を下方に押し下げて開口部を開放し、また、原稿押さえが開かれるときにはロック部材の押圧が解除され、蓋部材が上方に移動して開口部を自動的に閉塞することができる。
【００１１】
また、本発明では、前記ロック部材は、前記原稿押さえから突出する突出位置と、前記原稿押さえに没入する没入位置との間で移動自在に設けられている、という構成を採用する。
この構成を採用することによって、本発明では、ロック部材を突出位置と没入位置に移動自在にすることで、開口部上に異物が載置された場合であっても、ロック部材が原稿押さえの中に退避できるため、破損を防止できる。
【００１２】
また、本発明では、前記ロック装置は、前記原稿押さえに設けられ、前記ロック部材を前記没入位置から前記突出位置に向かって付勢する第２の付勢部材を有し、前記ロック部材は、前記開口部に挿入される間に異物を挟んだときに前記付勢に抗して前記突出位置から前記没入位置に移動する、という構成を採用する。
この構成を採用することによって、本発明では、原稿読取装置に第２の付勢部材を設け、ロック部材を突出位置に向かって付勢することで、開口部との間で異物（原稿等）を挟んだときにはロック部材が付勢に抗して原稿押さえに没入して異物の破損を防止し、また、平常時ではロック部材が付勢によって原稿押さえから自動的に突出し開口部への挿入を可能とすることができる。
【００１３】
また、本発明では、前記フック部材は、前記ロック部材と係合する係合位置と、前記ロック部材との係合を解除する係合解除位置との間で移動自在に設けられており、前記ロック装置は、前記原稿読取装置に設けられ、前記フック部材を前記係合解除位置から前記係合位置に向かって付勢する第３の付勢部材と、前記装置本体に設けられた突起部と、前記原稿読取装置に設けられ、前記原稿読取装置が前記装置本体に対して閉じられた状態のときに前記突起部と当接し、前記フック部材を前記付勢に抗して前記係合位置から前記係合解除位置に移動させるリンク部材と、を有する、という構成を採用する。
この構成を採用することによって、本発明では、フック部材を係合位置と係合解除位置との間で移動自在とし、原稿読取装置に第３の付勢部材を設け、フック部材を係合位置に付勢することで、原稿読取装置が開かれるときにはその動きに連動してフック部材を係合位置に移動させて、原稿押さえの開閉を自動的にロックすることができる。また、装置本体に突起部を設け、原稿読取装置にリンク部材を設け、フック部材を付勢に抗して係合解除位置に移動させることで、原稿読取装置が閉じられた状態のとき（通常使用時）には、原稿押さえの開閉をロックしないようにすることができる。
【００１４】
また、本発明では、前記原稿読取装置の開閉をロックする第２のロック装置を有する、という構成を採用する。
この構成を採用することによって、本発明では、第２のロック装置を設けることで、装置本体に対する原稿読取装置の開閉をロックすることができる。
【００１５】
また、本発明では、前記第２のロック装置は、前記原稿読取装置に設けられ、前記装置本体と係合する第２の係合位置と、前記装置本体との係合を解除する第２の係合解除位置との間で移動自在な第２のフック部材と、前記蓋部材が前記閉塞位置に位置するときに前記第２のフック部材の前記第２の係合解除位置への移動を規制し、前記蓋部材が前記開放位置に位置するときに前記第２のフック部材の前記第２の係合解除位置への移動の規制を解除する規制部材と、を有する、という構成を採用する。
この構成を採用することによって、本発明では、原稿読取装置に第２の係合位置と第２の係合解除位置との間で移動自在な第２のフック部材を設け、装置本体に対する開閉のロック／ロック解除を可能とし、さらに、規制部材を設け、蓋部材が開放位置に位置するときに第２のフック部材の移動を規制して装置本体に対するロックを解除できないようにし、また、蓋部材が閉塞位置に位置するときに第２のフック部材の移動規制を解除して装置本体に対するロックを解除できるようにする。これにより、原稿押さえが閉じていない状態（原稿押さえがロックできない状態）での原稿読取装置の開閉を防止することができる。
【発明の効果】
【００１６】
本発明によれば、原稿読取装置に対する原稿押さえのロック装置の設置スペースに制限がある場合であっても、原稿破損や異物混入を防止することができる画像形成装置が得られる。
【図面の簡単な説明】
【００１７】
【図１】本発明の実施形態における複合機の外観を示す斜視図である。
【図２】本発明の実施形態における複合機の内部構成を示す概略図である。
【図３】本発明の実施形態におけるスキャナー部の外観を示す平面側斜視図である。
【図４】本発明の実施形態における原稿押さえの外観を示す底面側斜視図である。
【図５】本発明の実施形態における開閉ロックユニットの外観を示す右側面側斜視図である。
【図６】本発明の実施形態における開閉ロックユニットの外観を示す左側面側斜視図である。
【図７】本発明の実施形態における蓋部材が閉塞位置に位置するときの開閉ロックユニットの各構成部材の配置を示す断面図である。
【図８】本発明の実施形態における蓋部材が開放位置に位置するときの開閉ロックユニットの各構成部材の配置を示す断面図である。
【図９】本発明の実施形態における第２のフック部材の外観を示す斜視図である。
【図１０】本発明の実施形態におけるスキャナー部が閉じられた状態のときの開閉ロックユニットの各構成部材の配置を示す断面図である。
【図１１】本発明の実施形態におけるスキャナー部が開かれた状態のときの開閉ロックユニットの各構成部材の配置を示す断面図である。
【図１２】本発明の実施形態における開閉ロックユニットの作用を説明するための図である。
【図１３】本発明の実施形態におけるロック部材の作用を説明するための図である。
【発明を実施するための形態】
【００１８】
以下、図面を参照しながら、本発明の一実施形態について説明する。なお、以下では、本発明に係る画像形成装置として、原稿読取機能を備える複合機を例示して説明する。
【００１９】
図１は、本発明の実施形態における複合機Ｐの外観を示す斜視図である。図２は、本発明の実施形態における複合機Ｐの内部構成を示す概略図である。
複合機（画像形成装置）Ｐは、図２に示すように、排出部ａ、トナー収納部ｂ、画像形成部ｃ、用紙部ｄを備えている。また、複合機Ｐには、下部に位置する用紙部ｄから上部に位置する排出部ａにかけて、搬送部ｅが設けられている。また、複合機Ｐには、排出部ａの上部に、スキャナー部（原稿読取装置）ｆ、操作部ｇ、原稿押さえｈが設けられている。
【００２０】
排出部ａは、所定の画像が形成された用紙（シート材）が搬送部ｅを介して排出されるように構成されている。この排出部ａの底面は傾斜が付されていて、排出される用紙が複数枚のときに一端側を揃えて積層できるように工夫されている。
トナー収納部ｂは、例えば、ブラックトナー（ＢＫ）のトナーコンテナからなり、画像形成部ｃの現像ユニットｃ２にトナーを供給できるように構成されている。
【００２１】
画像形成部ｃは、レーザースキャンニングユニットｃ１、現像ユニットｃ２、ドラムユニットｃ３、転写ユニットｃ４及び定着ユニットｃ５を含んで構成されている。
レーザースキャンニングユニットｃ１は、周知のレーザースキャンニングユニットと同様に、レーザー光を発生する光ビーム発生器と、その光ビーム発生器から照射されてくる光ビームを走査するポリゴンミラーと、そのポリゴンミラーにより走査された光ビームを後述する感光体ドラム１上に結像させるｆθレンズ等を含んで構成されている。
【００２２】
現像ユニットｃ２は、感光体ドラム１に対してトナーを供給することによって感光体ドラム１の周面に形成された静電潜像を現像するものであり、感光体ドラム１の周面に対して、その半径方向において対向して配置された現像ローラー２を有する。
ドラムユニットｃ３は、そのドラム周面にレーザースキャンニングユニットｃ１を用いて静電潜像が生成されると共に、トナー収納部ｂから現像ユニットｃ２に供給されたトナーによりトナー像が形成される感光体ドラム１を有する。
【００２３】
感光体ドラム１の周りには、その周面を帯電状態とさせる帯電器３及び転写後その周面に残存したトナーを除去するクリーナー４等が対向配置されている。本実施形態の帯電器３及びクリーナー４等は、感光体ドラム１と共にドラムユニットｃ３として着脱自在にユニット化されている。
転写ユニットｃ４は、感光体ドラム１の周面に対して、その半径方向において対向して配置される転写ローラー５を有している。転写ローラー５は、感光体ドラム１を押圧するように設けられている。
【００２４】
したがって、転写ローラー５は、感光体ドラム１が回転駆動すると、それに伴って回転することができる。また、搬送部ｅを介して所定のシート材、例えば用紙が搬送されてきたときは、その用紙を感光体ドラム１との間に介在させた状態で転写ローラー５を回転させることができると共に、用紙を定着ユニットｃ５側に搬送させることができる。
【００２５】
定着ユニットｃ５は、転写ユニットｃ４の設けられているよりも下流側の搬送部ｅの一部に設けられていて、その搬送部ｅを搬送する用紙を挟持できるように配置された一対のローラーで構成されている。そして、定着ユニットｃ５は、その一対のローラーによって加圧・加熱して転写ユニットｃ４で転写された用紙上のトナー像を用紙に定着できるように構成されている。
【００２６】
用紙部ｄは、装置本体１０に対して開閉自在に設けられている給紙トレイｄ１と、装置本体１０に対して引き出し自在に設けられている給紙カセットｄ２とを備えている。そして、給紙トレイｄ１あるいは給紙カセットｄ２から搬送部ｅに１枚ずつ用紙を供給できるように構成されている。
【００２７】
搬送部ｅは、下部に位置する用紙部ｄから上部に位置する排出部ａにかけて設けられていて、複数の搬送ローラー及びガイド板によって構成されている。そして、この搬送部ｅは、用紙部ｄから供給された用紙を１枚ずつ排出部ａに向けて搬送できるように構成されている。
【００２８】
スキャナー部ｆは、セットされた原稿を読み取り、その原稿の画像を示す原稿画像データを取得するものである。スキャナー部ｆは、キャリッジに搭載されたＣＣＤ（Charge Coupled Device）センサー（不図示）を備え、コンタクトガラスｆ１（図３参照）上にセットされた原稿、あるいは原稿給送装置ｈ１によって順次給紙される原稿を読み取るように構成されている。
【００２９】
操作部ｇは、ユーザーによる操作に応じた信号（操作信号）を出力すると共に、複合機Ｐの状態を示す情報等の各種情報を表示するものであり、操作キーｇ１及び操作表示部ｇ２（図１参照）を備えている。操作キーｇ１は、コピースタートキー、コピーストップ／クリアキー、テンキー（数値入力キー）及び機能切替キー等のハードキーである。操作表示部ｇ２は、液晶パネル或いは有機ＥＬパネルの表示画面に対向配置されたタッチパネルであり、操作信号としてユーザーに押下された部位の座標を示す信号を出力する。
【００３０】
原稿押さえｈは、スキャナー部ｆの読取面に原稿を押さえ付けるものであり、スキャナー部ｆに対して開閉可能に設けられている。原稿押さえｈには、読み取りを行うべき原稿を順次自動給紙する原稿給送装置ｈ１が付設されている。原稿給送装置ｈ１は、セットされた原稿をピックアップローラー（不図示）によってスキャナー部ｆを経由する搬送路（不図示）に導入する。スキャナー部ｆは、コンタクトガラスｆ１とは別にスリット状のコンタクトガラスｆ２（図３参照）を備えており、原稿給送装置ｈ１により自動給送された原稿は、当該スリット状のコンタクトガラスｆ２を介して読み取られる。
【００３１】
上記構成からなる複合機Ｐは、レーザースキャンニングユニットｃ１から感光体ドラム１に画像データに対応したレーザー光が照射されて静電潜像が形成され、供給されたトナーによってトナー像が現像される。そして、この感光体ドラム１上に担持されたトナー像は転写ユニットｃ４で用紙に転写された後、定着ユニットｃ５で加圧・加熱されて定着処理される。最後に、画像の印刷された用紙が排出部ａに排出される。
【００３２】
次に、図３〜図１３を参照して、上記構成の複合機Ｐに設けられたスキャナー部ｆ、原稿押さえｈの開閉ロックユニット２０の構造について詳しく説明する。
図３は、本発明の実施形態におけるスキャナー部ｆの外観を示す平面側斜視図である。図４は、本発明の実施形態における原稿押さえｈの外観を示す底面側斜視図である。図５は、本発明の実施形態における開閉ロックユニット２０の外観を示す右側面側斜視図である。図６は、本発明の実施形態における開閉ロックユニット２０の外観を示す左側面側斜視図である。
【００３３】
図７は、本発明の実施形態における蓋部材３３が閉塞位置に位置するときの開閉ロックユニット２０の各構成部材の配置を示す断面図である。図８は、本発明の実施形態における蓋部材３３が開放位置に位置するときの開閉ロックユニット２０の各構成部材の配置を示す断面図である。なお、図７及び図８は、図６における矢視Ａ−Ａ断面に対応する。図９は、本発明の実施形態における第２のフック部材４１の外観を示す斜視図である。
【００３４】
図１０は、本発明の実施形態におけるスキャナー部ｆが閉じられた状態のときの開閉ロックユニット２０の各構成部材の配置を示す断面図である。図１１は、本発明の実施形態におけるスキャナー部ｆが開かれた状態のときの開閉ロックユニット２０の各構成部材の配置を示す断面図である。なお、図１０及び図１１は、図５における矢視Ｂ−Ｂ断面に対応する。図１２は、本発明の実施形態における開閉ロックユニット２０の作用を説明するための図である。図１３は、本発明の実施形態におけるロック部材３１の作用を説明するための図である。
【００３５】
原稿押さえｈは、上述したようにスキャナー部ｆに対して開閉可能に設けられている。また、スキャナー部ｆは、図１２に示すように、装置本体１０に対して開閉可能に設けられている。開閉ロックユニット２０は、スキャナー部ｆに対する原稿押さえｈの開閉をロックする第１のロック装置３０と、装置本体１０に対するスキャナー部ｆの開閉をロックする第２のロック装置４０と、を有する。開閉ロックユニット２０は、第１のロック装置３０の動作と第２のロック装置４０とが連係動作するよう機構的にユニット化したものである（図５及び図６参照）。
【００３６】
第１のロック装置３０は、スキャナー部ｆが開閉されるときに原稿押さえｈの開閉をロックするものである。図３に示すように、スキャナー部ｆには、原稿を載置する原稿載置面１１と同一平面に、原稿押さえｈの開閉をロックするための開口部１２が形成されている。開口部１２は、スキャナー部ｆの前側の角隅部において、上方に開口して形成されている。この開口部１２は、ユーザーが触り易いコンタクトガラスｆ１に対し、スリット状のコンタクトガラスｆ２よりも離間した位置に配置されている。
【００３７】
第１のロック装置３０は、図４に示すように、原稿押さえｈに設けられ、原稿押さえｈがスキャナー部ｆに対して閉じられた状態のときに開口部１２に挿入可能なロック部材３１を有する。原稿押さえｈの後側には、ヒンジユニット１３が設けられている。ヒンジユニット１３は、図３に示すスキャナー部ｆの後側の開口部１４に取り付けられるものである。このため、原稿押さえｈは、スキャナー部ｆの後側を支点として開閉可能とされている。一方で、ロック部材３１は、原稿押さえｈの前側の角隅部において、下方に突出して設けられている。
【００３８】
また、第１のロック装置３０は、図１０及び図１１に示すように、スキャナー部ｆに設けられ、開口部１２に挿入されたロック部材３１と原稿載置面１１よりも下方で係合可能なフック部材３２を有する。ロック部材３１には、突出方向と直交する方向に貫通する貫通穴３１ａが設けられている。フック部材３２は、図１１に示すように貫通穴３１ａに挿入されることで、ロック部材３１と係合するようになっている。このように、フック部材３２がロック部材３１に係合すると、スキャナー部ｆに対する原稿押さえｈの開閉がロックされる。
【００３９】
また、第１のロック装置３０は、開口部１２を閉塞する閉塞位置（図７参照）と、原稿載置面１１よりも下方に移動し開口部１２を開放する開放位置（図８参照）との間で移動自在な蓋部材３３を有する。蓋部材３３は、図６に示すように、略Ｔ字形状を有しており、スキャナー部ｆに固定される開閉ロックユニット２０のフレーム２１に対して上下方向にスライド自在な構成となっている。蓋部材３３の上部は、平板形状とされ、開口部１２を下側から閉塞できる大きさを有している。
【００４０】
また、第１のロック装置３０は、図７に示すように、スキャナー部ｆに設けられ、蓋部材３３を開放位置から閉塞位置に向かって付勢するバネ部材（付勢部材）３４を有する。バネ部材３４は、フレーム２１の内部に配置され、蓋部材３３を上方に付勢する構成となっている。これにより、蓋部材３３は、図８に示すように、ロック部材３１の押圧によって付勢に抗して閉塞位置から開放位置に移動するようになる。また、蓋部材３３は、図７に示すように、ロック部材３１の押圧が解除されると、開放位置から閉塞位置に向かって自動的に上方に移動するようになる。なお、バネ部材３４は、蓋部材３３を押し上げるだけの軽微な力があればよい。
【００４１】
蓋部材３３と当接するロック部材３１は、原稿押さえｈから突出する突出位置（図７及び図８参照）と、原稿押さえｈに没入する没入位置（図１３参照）との間で移動自在に設けられている。ロック部材３１は、原稿押さえｈに形成された開口部１５に対し出没自在に設けられている。ロック部材３１の基端部３１ｂは、図７に示すように、開口部１５の幅よりも大きく形成されており、開口部１５の裏側に係止可能となっている。これにより、ロック部材３１は、原稿押さえｈから抜け落ちることなく、原稿押さえｈの底面側に突出するようになっている。
【００４２】
また、第１のロック装置３０は、原稿押さえｈに設けられ、ロック部材３１を没入位置から突出位置に向かって付勢するバネ部材（第２の付勢部材）３５を有する。バネ部材３５は、開口部１５の内側に設けられ、ロック部材３１を下方に付勢する構成となっている。これにより、ロック部材３１は、図１３に示すように、開口部１２との間で異物（原稿等）１００を挟んだときには、付勢に抗して原稿押さえｈに没入するようになる。また、ロック部材３１は、平常時では、図７及び図８に示すように、ロック部材３１が付勢によって原稿押さえｈから自動的に突出するようになる。このバネ部材３５は、蓋部材３３を軽微な力で押し上げるバネ部材３４よりも強い付勢力を有しており、ロック部材３１が蓋部材３３に押し負けないようになっている。
【００４３】
ロック部材３１と係合可能なフック部材３２は、ロック部材３１と係合する係合位置（図１１参照）と、ロック部材３１との係合を解除する係合解除位置（図１０参照）との間で移動自在に設けられている。フック部材３２は、支軸３２ａを有しており、支軸３２ａを中心に回動自在に設けられている。支軸３２ａは、図５及び図６に示すように、開閉ロックユニット２０のフレーム２１に回転自在に保持されている。このフック部材３２は、図１０に示す係合解除位置に位置するとき、蓋部材３３の移動経路から退避するようになっている。また、フック部材３２は、図１１に示す係合位置に位置するとき、蓋部材３３の移動経路に突出して、ロック部材３１の貫通穴３１ａに係合するようになっている。
【００４４】
また、第１のロック装置３０は、スキャナー部ｆに設けられ、フック部材３２を係合解除位置から係合位置に向かって付勢するバネ部材（第３の付勢部材）３６と、装置本体１０に設けられた突起部３７と、スキャナー部ｆに設けられ、スキャナー部ｆが装置本体１０に対して閉じられた状態のときに突起部３７と当接し、フック部材３２を付勢に抗して係合位置から係合解除位置に移動させるリンク部材３８と、を有する。バネ部材３６は、フレーム２１の内部に配置され、フック部材３２のフック形状に対し支軸３２ａを挟んだ逆側の端部３２ｂを付勢するようになっている。
【００４５】
突起部３７は、装置本体１０のスキャナー部ｆを載置する面に立設しており、先端が平面の柱形状を有している。この突起部３７は、スキャナーｆの底面に設けられた開口部１６を介して、スキャナーｆの内部に挿入可能となっている。リンク部材３８は、略Ｌ字状に屈曲した形状を有している。リンク部材３８は、支軸３８ａを有しており、支軸３８ａを中心に回動自在に設けられている。支軸３８ａは、図５及び図６に示すように、開閉ロックユニット２０のフレーム２１に回転自在に保持されている。リンク部材３８の一端部は、図１０に示すように、フック部材３２の端部３２ｂに対しバネ部材３６が当接する側と反対側に当接可能な構成となっている。また、リンク部材３８の他端部は、突起部３７の先端に当接可能な構成となっている。
【００４６】
これにより、フック部材３２は、図１０に示すように、スキャナー部ｆが装置本体１０に対して閉じられた状態のときに、突起部３７と当接するリンク部材３８によって、付勢に抗して係合解除位置に移動するようになる。また、フック部材３２は、図１１に示すように、スキャナー部ｆが装置本体１０に対して開かれた状態のときに、突起部３７との当接が解除されたリンク部材３８を押し返し、係合解除位置から係合位置に向かって自動的に移動するようになる。したがって、スキャナー部ｆが装置本体１０に対して閉じられた状態のときには、原稿押さえｈのロックをかけず、一方で、スキャナー部ｆが装置本体１０に対して開かれるときに、原稿押さえｈのロックをかけることができる。
【００４７】
対して、第２のロック装置４０は、スキャナー部ｆの開閉をロックするものである。第２のロック装置４０は、図７及び図８に示すように、スキャナー部ｆに設けられ、装置本体１０と係合する第２の係合位置と、装置本体１０との係合を解除する第２の係合解除位置との間で移動自在な第２のフック部材４１を有する。第２のフック部材４１は、装置本体１０のスキャナー部ｆを載置する面よりも下方に設けられた係合部１７と係合可能な構成となっている。この第２のフック部材４１は、図８に示すように、回転軸４１ａを中心に回動自在に設けられている。なお、回転軸４１ａは、不図示のねじりコイルばね等によって第２のフック部材４１のロックがかかる回転方向に付勢されている。
【００４８】
第２のフック部材４１は、図９に示すように、回転軸４１ａの両端部に設けられており、それぞれが一体的に回動するようになっている。回転軸４１ａは、スキャナー部ｆの幅方向に延在して設けられ、スキャナー部ｆが二つの第２のフック部材４１によって装置本体１０と係合可能な構成となっている。この回転軸４１ａの一端には、アーム部材４１ｂが取り付けられている。アーム部材４１ｂは、手前側を向いた略Ｌ字の鍵形状を有している。このアーム部材４１ｂは、図６に示すように、蓋部材３３の下方に配置されている。すなわち、回転軸４１ａの一端は、開閉ロックユニット２０のフレーム２１を貫通し、回転自在に保持されている。
【００４９】
また、第２のロック装置４０は、図７に示すように、蓋部材３３が閉塞位置に位置するときに第２のフック部材４１の第２の係合解除位置への移動を規制し、図８に示すように蓋部材３３が開放位置に位置するときに第２のフック部材４１の第２の係合解除位置への移動の規制を解除する規制部４２を有する。規制部４２は、蓋部材３３に一体的に形成されており、蓋部材３３と一体的に上下にスライド自在な構成となっている。蓋部材３３の下端部の裏側には空間が形成されており、上下方向ではアーム部材４１ｂと干渉しないようになっている（図６〜図８参照）。
【００５０】
規制部４２は、蓋部材３３の下端部において内側に突出する凸形状を有している。規制部４２は、図７に示すように、蓋部材３３が閉塞位置に位置するときにアーム部材４１ｂの先端と対向して第２のフック部材４１の回動を規制し、また、図８に示すように、蓋部材３３が開放位置に位置するときにアーム部材４１ｂの先端と非対向となり、第２のフック部材４１の回動の規制を解除するようになっている。
【００５１】
また、第２のロック装置４０は、図８に示すように、第２のフック部材４１の係合を解除するためのフック解除ボタン４３を有する。フック解除ボタン４３は、スキャナー部ｆの底面に沿ってスライド自在に設けられた略Ｌ字形状の部材であり、スキャナー部ｆの前面に露出する前面部４３ａ（図３参照）と、第２のフック部材４１を押し込んで係合を解除させる先端部４３ｂと、を有する。図７に示すように、規制部４２によって第２のフック部材４１の移動が規制されているとき、フック解除ボタン４３を押し込むことができないため、原稿押さえｈが閉じていない状態（原稿押さえｈがロックできない状態）でのスキャナー部ｆの開閉を防止できるようになっている。
【００５２】
続いて、上記構成の複合機Ｐにおけるスキャナー部ｆの開閉操作について説明する。
【００５３】
ユーザーは、先ず、図１に示すように、スキャナー部ｆに対して開閉可能に設けられた原稿押さえｈを閉じる。原稿押さえｈが閉じられると、図４に示すロック部材３１が、図３に示す開口部１２に挿入される。開口部１２は、原稿載置面１１と同一平面に設けられており、図７に示すように、蓋部材３３によって閉塞されている。この蓋部材３３は、ロック部材３１の押圧によって、バネ部材３４の付勢に抗して閉塞位置から開放位置に移動する（図８参照）。蓋部材３３が下がると、蓋部材３３に形成された規制部４２も下がる。図８に示すように、蓋部材３３が開放位置に位置するとき、規制部４２は、アーム部材４１ｂと非対向状態となる。これにより、第２のフック部材４１の回動規制が解除され、ユーザーがフック解除ボタン４３を押し込むことが可能となる。
【００５４】
次に、ユーザーは、図３に示すように、スキャナー部ｆの前面に露出するフック解除ボタン４３を押し込む。フック解除ボタン４３が押し込まれると、図８に示すように、フック解除ボタン４３の先端部４３ｂが、第２のフック部材４１と係合部１７との係合を解除する。フック解除ボタン４３の押し込みにより、第２のフック部材４１が係合部１７から外れると、装置本体１０に対するスキャナー部ｆの開閉のロック（第２のロック装置４０によるロック）が解除され、装置本体１０に対してスキャナー部ｆが開閉可能となる。
【００５５】
次に、ユーザーは、図１２に示すように、装置本体１０に対して開閉可能に設けられたスキャナー部ｆを開く。スキャナー部ｆが開かれると、図１１に示すように、突起部３７とリンク部材３８との当接が解除される。突起部３７との当接が解除されたリンク部材３８は、バネ部材３６に付勢されているフック部材３２によって押し返される。リンク部材３８を押し返したフック部材３２は、バネ部材３６の付勢によって係合解除位置から係合位置に向かって自動的に回動する。
【００５６】
係合位置に向かって回動したフック部材３２は、貫通穴３１ａに挿入され、ロック部材３１と係合する。フック部材３２がロック部材３１に係合すると、スキャナー部ｆに対する原稿押さえｈの開閉のロック（第１のロック装置３０によるロック）がなされる。
このように、スキャナー部ｆに対する原稿押さえｈの開閉がロックされると、図１２に示すように、スキャナー部ｆを開いたときに原稿押さえｈが開かれることがないため、複合機Ｐの全体の重心が後方側に移動することがなく、装置本体１０の転倒を確実に防止することができる。
【００５７】
上記のように、本実施形態では、スキャナー部ｆに開口部１２を設け、開口部１２に原稿押さえｈに設けられたロック部材３１を挿入し、原稿載置面１１よりも下方においてロック部材３１にフック部材３２を係合させることによって、原稿押さえｈの開閉をロックする。原稿載置面１１と同一平面に設けられた開口部１２には、蓋部材３３が設けられており、ロック部材３１が挿入される前は閉塞可能となっている。したがって、図３に示すように、省スペース化等で開口部１２をアクセス容易な手前側に配置した場合であっても、開口部１２に原稿の端部が落ち込むことによる破損や、開口部１２を介して装置内部に異物（紙屑、埃等）が混入することを防止することができる。
【００５８】
また、本実施形態では、スキャナー部ｆにバネ部材３４を設け、蓋部材３３を閉塞位置に向かって付勢することで、原稿押さえｈが閉じられるときにはロック部材３１が蓋部材３３を下方に押し下げて開口部１２を開放し、また、原稿押さえｈが開かれるときにはロック部材３１の押圧が解除されて蓋部材３３が上方に移動して開口部１２を自動的に閉塞することができる。このため、原稿押さえｈが開かれる場合には、常に開口部１２が閉塞状態となり、原稿の端部の落ち込みや、異物の混入を確実に防止することができる。
また、開口部１２をアクセス容易な手前側に配置した場合に想定されるロック部材３１による原稿等の挟み込み対策として次のような構成を採用している。
【００５９】
すなわち、ロック部材３１は、原稿押さえｈから突出する突出位置と、原稿押さえｈに没入する没入位置との間で移動自在に設けられている。この構成によれば、図１３に示すように、開口部１２上に異物（原稿、シート材、板材等）１００が載置された場合であっても、ロック部材３１が原稿押さえｈの中に退避できるため、破損を防止することができる。このように、ロック部材３１が、開口部１２に挿入される間に異物を挟んだときに、バネ部材３５の付勢に抗して突出位置から没入位置に移動するという構成を採用することによって、異物１００の穴あき、破れ等の破損、また、異物１００が固い場合にはロック部材３１自身の破損を防止することができる。
【００６０】
また、本実施形態では、フック部材３２を係合位置と係合解除位置との間で移動自在とし、スキャナー部ｆにバネ部材３６を設け、フック部材３２を係合位置に付勢することで、スキャナー部ｆが開かれるときにはその動きに連動してフック部材３２を係合位置に移動させて、原稿押さえｈの開閉を自動的にロックし、また、装置本体１０に突起部３７を設け、スキャナー部ｆにリンク部材３８を設け、フック部材３２を付勢に抗して係合解除位置に移動させることで、スキャナー部ｆが閉じられた状態のときには、原稿押さえｈの開閉をロックしないようにしている。この構成によれば、図１０に示すように、スキャナー部ｆを開閉操作をしない通常使用時に、スキャナー部ｆに対する原稿押さえｈの開閉のロックが不用意にかからないようにすることができる。
【００６１】
また、本実施形態では、スキャナー部ｆに第２の係合位置と第２の係合解除位置との間で移動自在な第２のフック部材４１を設け、装置本体１０に対する開閉のロック／ロック解除を可能とし、さらに、規制部４２を設け、蓋部材３３が開放位置に位置するときに第２のフック部材４１の移動を規制して装置本体１０に対するロックを解除できないようにし、また、蓋部材３３が閉塞位置に位置するときに第２のフック部材４１の移動規制を解除して装置本体１０に対するロックを解除できるようにしている。この構成によれば、図７に示すように、原稿押さえｈが閉じていない状態（原稿押さえｈがロックできない状態）でのスキャナー部ｆの開閉を防止することができる。したがって、スキャナー部ｆを開いたときに原稿押さえｈにロックがかからずに開かれてしまうことが無くなり、装置本体１０の転倒をより確実に防止することができる。
【００６２】
このように、上述の本実施形態によれば、装置本体１０に対して開閉可能に設けられたスキャナー部ｆと、スキャナー部ｆに対して開閉可能に設けられた原稿押さえｈと、スキャナー部ｆが開閉されるときに原稿押さえｈの開閉をロックする第１のロック装置３０と、を有する複合機Ｐであって、スキャナー部ｆには、原稿を載置する原稿載置面１１と同一平面に、原稿押さえｈの開閉をロックするための開口部１２が形成されており、第１のロック装置３０は、原稿押さえｈに設けられ、原稿押さえｈがスキャナー部ｆに対して閉じられた状態のときに開口部１２に挿入可能なロック部材３１と、スキャナー部ｆに設けられ、開口部１２に挿入されたロック部材３１と原稿載置面１１よりも下方で係合可能なフック部材３２と、スキャナー部ｆに設けられ、開口部１２を閉塞する閉塞位置と、原稿載置面１１よりも下方に移動し開口部１２を開放する開放位置との間で移動自在な蓋部材３３と、を有する、という構成を採用することによって、低背設計や省スペース化等による限られたスペースにおいてでも、簡単な構成で原稿押さえｈの倒れ及び装置本体１０の転倒を防止することができ、また、第１のロック装置３０の突起物（ロック部材３１）に起因する原稿の破損や開口部１２を介しての異物の混入を防止できる複合機Ｐが得られる。
【００６３】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００６４】
例えば、上記実施形態では、ロック部材が挿入される開口部をスキャナー部の手前側に配置した構成について説明したが、本発明はこの構成に限定されるものではなく、スキャナー部の原稿載置面と同一平面であればどの位置に設けても良い。
【００６５】
また、例えば、上記実施形態では、蓋部材が付勢部材により移動する構成について説明したが、本発明はこの構成に限定されるものではなく、例えばモーターやソレノイド等の駆動源を用いて移動させる構成であっても良い。他の移動する構成も同様である。
【００６６】
また、例えば、上記実施形態では、第１のロック装置と第２のロック装置とを連係動作させる構成について説明したが、本発明はこの構成に限定されるものではなく、各々が独立して動作する構成であっても良い。
【００６７】
また、例えば、上記実施形態では、画像形成装置として、複合機を例示したが、本発明は、例えば、複写機、プリンター、ファクシミリ装置等の画像形成装置にも適用可能である。
【符号の説明】
【００６８】
Ｐ…複合機（画像形成装置）、ｆ…スキャナー部（原稿読取装置）、ｈ…原稿押さえ、１０…装置本体、１１…原稿載置面、１２…開口部、２０…開閉ロックユニット、３０…第１のロック装置（ロック装置）、３１…ロック部材、３２…フック部材、３３…蓋部材、３４…バネ部材（付勢部材）、３５…バネ部材（第２の付勢部材）、３６…バネ部材（第３の付勢部材）、３７…突起部、３８…リンク部材、４０…第２のロック装置、４１…第２のフック部材、４２…規制部（規制部材）、１００…異物
【図１】
2014235214.tif 000003
【図２】
2014235214.tif 000004
【図３】
2014235214.tif 000005
【図４】
2014235214.tif 000006
【図５】
2014235214.tif 000007
【図６】
2014235214.tif 000008
【図７】
2014235214.tif 000009
【図８】
2014235214.tif 000010
【図９】
2014235214.tif 000011
【図１０】
2014235214.tif 000012
【図１１】
2014235214.tif 000013
【図１２】
2014235214.tif 000014
【図１３】
2014235214.tif 000015